(57)【要約】      （修正有）【課題】ギブスに使用される医療用の副木に関するものであって、さらに詳しくは優れた通気性と、患部から感染を防ぐ医療用の副木を提供する。【解決手段】医療用の副木は、抗菌剤が添加された多層のポリプロピレン（polypropylene）不織布（non-woven fabric）から構成される抗菌皮５と、水分硬化剤が添加されたポリエステル（polyester）から構成され、多数の通気孔６ａを持つ硬化皮及び分割極細糸から構成され、縁部に上記抗菌皮５に接着される接着手段を有する外皮７が順次に層をなすことを特徴とする。【選択図】  図４
2004201900.tif 000002
【特許請求の範囲】
【請求項１】
抗菌剤が添加された多層のポリプロピレン（polypropylene）不織布（non-woven fabric）から構成される抗菌皮と、
水分硬化剤が添加されたポリエステル（polyester）から構成され、多数の通気孔を有する硬化皮及び
分割極細糸から構成され縁部に上記抗菌皮に接着される接着手段を有する外皮が順次に層を作ることを特徴とする医療用副木。
【請求項２】
第１項において、
上記抗菌剤はアルベカシンまたはジンクオマダイであることを特徴とする医療用副木。
【請求項３】
第１項または第２項において、
上記水分硬化剤はポリウレタン樹脂であることを特徴とする医療用副木。
【請求項４】
第１項において、
上記分割極細糸はポリアミドとポリエステルからなることを特徴とする医療用副木。
【請求項５】
第１項または第４項において、
上記接着手段は両面テープからなることを特徴とする医療用副木。
【発明の詳細な説明】
【０００１】
【発明の属する技術分野】
本発明は、ギブスに使用される医療用副木に関するものであって、さらに詳しくは不織布を使うことによって優れた通気性と、また患部に接触する部分の抗菌処理によって患部から感染を防ぐ医療用副木に関する。
【０００２】
【従来の技術】
様々な事故による骨の皹や骨折、あるいは関節を怪我した場合、一般的に副木が用いられる。即ち、骨折または皹の入った骨を接合したり、怪我した関節を固定させるために骨折部位などの患部を部分的に、あるいは全体的に固く縛るために副木が用いられるのである。
かかる目的で、一般的に広く使われるギブス方法は石膏材料を塗布した包帯を怪我した部位に巻く方法である。こうしたギブス方法は石膏包帯を骨折部位に巻くその時には怪我の部位を効果的に包むことができるが、その石膏材料が硬化した後には上記石膏材料が収縮しながら怪我の部位より浮いてしまうという欠点があった。骨折部位と副木との間に隙間ができると、上記副木は怪我の部位を効果的に固定することができなくなり、これによって患部が流動し治療の妨げになる。またこの方法は充分な厚さになるまで患部を巻くために、包帯を巻くことにおいても相当の時間が要される。さらに包帯を巻いた部分は通気が悪く、特に、夏の季節は汗が多くなる。しかも骨折症の場合には、通常約８週間という長期の間に副木を着用せざるを得なく、夏にあたる時期には、特に掻痒症やその他の問題等が生ずることになる。
こうした様々な欠点を解決するために図１及び図２に示したように副木が開発され使用されている。副木の内部には公知された種類の硬化体が含まれたガラス繊維（glass fiber）が提供されている。上記ガラス繊維（１）の内側、即ち患者の骨折部位が接触する位置には内皮（２）を備えている。さらにガラス繊維（１）の外側には外皮（３）が設けてある。
このように構成された副木で、例えば肱または膝のような部分を巻く場合には、図示のごとく、皺部（４）が生じるのは不可避なことである。つまり、ガラス繊維（１）の厚さにより自然に皺部が形成されるのである。このような副木が、怪我の部位の屈曲された形状に沿って馴染み良く包むことが可能な成型性が劣るようになると、前述した通り、怪我の部位から副木が浮いてしまい、怪我の部位を密着して固定させることができなくなり、従って骨折部の治療に悪影響を与える結果となる。また、図示された副木の材質がガラス繊維からなっているため焼却ができないので環境を破壊したり、ガラス繊維自体の粉塵によって呼吸気疾患及び皮膚掻痒症を引き起こしたりする。このような構造の副木においてもまた通気性の確保問題が解決されていない。
さらに問題となるものとして、患部に密着される内皮は多様な細菌を含んでおり、こうした細菌が患部に侵入して治療の遅延を招いたり、各種疾病を引き起こすという欠点があった。
【０００３】
【発明が解決しようとする課題】
本発明は上記欠点を解決するために案出されたものであって、本発明の目的は成型性と通気性に優れ、患部に密着して固定させ、多様な細菌による感染を防ぐことのできる医療用副木を提供することにある。
【０００４】
【課題を解決するための手段】
上記のような目的を達成するために本発明の医療用副木は、抗菌剤が添加された多層のポリプロピレン（polypropylene）不織布（non-woven fabric）から構成される抗菌皮と、水分硬化剤が添加されたポリエステル（polyester）から構成され、多数の通気孔を持つ硬化皮及び分割極細糸から構成され縁部に上記抗菌皮に接着される接着手段を有する外皮が順次に層をなしていることを特徴とする。
【発明の実施の形態】
以下、本発明による医療用副木の好ましい実施例を通して各構成の作用及び効果を添付した図面に依拠して詳細に説明する。
図３は、本発明の１実施例による医療用副木を示す斜視図であり、図４は、本発明の１実施例による医療用副木の分解斜視図であり、図５は同じく使用状態図である。
図示のごとく、本発明の１実施例による医療用副木はポリプロピレン（polypropylene）から製作された不織布が複数の層をなし、抗菌剤が添加され患部を覆う抗菌皮（５）と、ポリエステル（polyester）から構成されて水分を硬化する水分硬化剤が添加され通気孔（６ａ）が形成された硬化皮、上記抗菌皮の縁部に接着手段（８、８′）によって接着され上記硬化皮（６）を覆う外皮（７）が順次に層をなして上記患部を固定する。
このように構成された本発明の１実施例による医療用副木は、水に浸す方法などから水分を吸収させて水分を含有するようにした上記水分硬化剤によって固まる前に患部に密着され包帯などで固定される。水分硬化剤としては好ましくポリウレタン樹脂が使われる。
この際、上記抗菌皮（５）は、複数の不織布で層を作って水が上記抗菌皮（５）を介して上記硬化皮（６）まで迅速に通過できるようにし、複数の不織布の間に水を多量吸収することができ、上記硬化剤が水を吸収した後、複数の不織布の間に風が通るようになる。それだけではなく、上記抗菌皮（５）に添加された抗菌剤は有害菌の増殖を防ぐと共に硬化皮（６）が固まった後は、それ以上の水分が染み入らないようにして不快な匂いと不快感を引き起こさない。上記抗菌皮（５）に添加される抗菌剤は好ましくはアルベカシン（arbekacin）またはジンクオマダイ（zinc omadine）であり、皮膚に直接使用可能な他の抗菌剤を使うこともできる。
上記硬化皮（６）には通気孔（６a）が形成されており、硬化剤が患部に密着された後、迅速に固まり、肱や膝のような屈曲部位にでも従来の医療用副木から見られるような皺が発生することなく密着される。
外皮（７）は分割極細糸から製作されており、好ましくはポリアミドとポリエステルからなる分割極細糸から製作された編職物である。外皮（７）の縁部には抗菌皮（５）の縁部に接着され抗菌皮（５）、硬化皮（６）及び外皮（７）を一体に固定する接着手段（８、８′）が形成されており、この接着手段（８、８′）は好ましくは両面テープからなる。
この他に、本発明の医療用副木の他の実施例は図６に図示されてある。
図示のごとく、上記抗菌皮（５）、硬化皮（６）及び外皮（７）が順次的に層をなす医療用副木を骨折された腰部位（９）に使用できるよう製作することができる。
上記抗菌皮における抗菌効果は政府公認機関である韓国原糸織物試験研究員（FITI TESTING & REASERCH INSTITUTE）へ実験を依頼し下記の実施例のごとく実験を行った。
実施例１
[実験方法]
表１に記載の通り、ポリプロピレン不織布と抗バクテリアとしてアルベカシンが含まれたポリプロピレン不織布に各々1.６＊１０5個のバクテリア（Staphylococcus aureus ATCC 6538）を投入した後、18時間の経過後に残留したバクテリアの個数を検出した。このような方法で他のバクテリア（Klebsiella pneunoniae ATCC 4352）を1.4＊10５個投入して抗菌性試験をまた反復的に実施した。
[実験結果]
バクテリアを投入して18時間後、最初の実験からポリプロピレン不織布はバクテリアが6.6＊106個にと、その数が増加しており、アルベカシン（Arbekacin）が含まれたポリプロピレン不織布はバクテリアが10個以下に減少しており、次の実験ではポリプロピレン不織布はバクテリアが５.２＊106 個に増加しており、アルベカシン（Arbekacin）が含まれたポリプロピレン不織布はやはりバクテリアが１０個以下に減少した。
実験結果を下記表1に示している。
【表1】
2004201900.tif 000003
【０００５】
【発明の効果】
上記のごとくなる本発明における医療用副木は、抗菌剤を含んだ不織布が皮膚に接触するため、有害菌による感染を予防するとともに掻痒症を防ぐことができる。なお、硬化皮は通気孔を有しており、外皮は分割極細糸から製作され硬化後にも通風性が向上し、快適な状態を維持することができる。
【０００６】
【図面の簡単な説明】
【図１】従来の医療用副木の１部分を切り取った斜視図である。
【図２】図１の平面図である。
【図３】本発明の１実施例による医療用副木を示す斜視図である。
【図４】本発明の１実施例による医療用副木の分解斜視図である。
【図５】本発明の１実施例による医療用副木の使用状態図である。
【図６】本発明の他の実施例による医療用副木の使用状態図である。
【符号の説明】
５        抗菌皮
６        硬化皮
６a       通気孔
７        外皮
８、８’  両面テープ
【図１】
2004201900.tif 000004
【図２】
2004201900.tif 000005
【図３】
2004201900.tif 000006
【図４】
2004201900.tif 000007
【図５】
2004201900.tif 000008
【図６】
2004201900.tif 000009